(57)【要約】【課題】  表示パネルの背面側に配置した導光板の端面に、表示パネルから引き出したフレキシブル基板の端部を接続した配線基板が固定されている表示モジュールにおいて、配線基板が位置ずれしていても、チップオンフィルム（ＣＯＦ）などのフレキシブル基板にかかる負担を、問題を生じない程度にまで軽減する。【解決手段】  液晶パネルでなる表示パネル１の背面側に配置した導光板２の端面に、表示パネル１から引き出したＣＯＦ５の端部を接続した配線基板がビス止めによって固定されている。ＣＯＦ５の長さを増やすことによって、配線基板６の位置ずれを吸収するための弛み箇所５１を具備させる。【選択図】        図１
2006011089.tif 000002
【特許請求の範囲】
【請求項１】
表示パネルの背面側に配置された導光板の端面に、上記表示パネルから引き出されたフレキシブル基板の端部に接続されている配線基板が固定されている表示モジュールにおいて、
上記表示パネルが液晶パネルであり、この液晶パネルの辺部の複数箇所から引き出されたチップオンフィルムでなる上記フレキシブル基板に、そのフレキシブル基板の長さを増やすことによって、上記導光板の端面にビス止めされた１枚の上記配線基板の位置ずれを吸収するための弛み箇所を具備させてあることを特徴とする表示モジュール。
【請求項２】
表示パネルの背面側に配置された導光板の端面に、上記表示パネルから引き出されたフレキシブル基板の端部に接続されている配線基板が固定されている表示モジュールにおいて、
上記フレキシブル基板に、上記配線基板の位置ずれを吸収するための弛み箇所を具備させてあることを特徴とする表示モジュール。
【請求項３】
上記表示パネルが液晶パネルであり、上記フレキシブル基板がチップオンフィルムであり、上記配線基板が導光板の端面にビス止めされている請求項２に記載した表示モジュール。
【発明の詳細な説明】
【技術分野】
【０００１】
本発明は、液晶テレビジョンモジュールで使われる表示モジュールに関する。
【背景技術】
【０００２】
従来、電気装置の接続にチップオンフィルム（ＣＯＦ）を用いること、及び、そのＣＯＦを折り曲げて使用することが知られていた（たとえば特許文献１又は特許文献２参照）。また、表示モジュールにおいて、液晶パネルから引き出されたゲートＣＯＦを、液晶パネルの背面に対向配置された導光板の背面側に延ばして形成することや、ＣＯＦはＴＣＰ（テープキャリアパッケージ）に比べて薄いために曲げやすいこと、なども知られていた（たとえば特許文献３参照）。
【特許文献１】特開２００１−１４８５４７号公報
【特許文献２】特開２００１−２６４７８７号公報
【特許文献３】特開２００２−２８７１１７号公報
【発明の開示】
【発明が解決しようとする課題】
【０００３】
ところで、液晶パネルなどの表示パネルの背面側に配置された導光板の端面に、上記表示パネルから引き出されたフレキシブル基板の端部に接続されている配線基板を固定することによって構成される表示モジュールでは、上記フレキシブル基板の表示パネルからの引出長さを可能な限り短くすることによって、フレキシブル基板の無駄な使用を防いだり、そのフレキシブル基板が余分な引廻しスペースを占有しないように設計していた。
【０００４】
しかしながら、そのような設計を行うと、フレキシブル配線に、ＴＣＰに比べて肉薄のＣＯＦを用い、上記配線基板を導光板の端面にビス止めすることによって固定するようにした場合、配線基板がその固定箇所でわずかでも位置ずれしていたりすると、ＣＯＦに負担がかかったままになって配線基板に対するＣＯＦの圧着箇所が剥がれるなどの不具合が生じ、表示モジュールの性能に悪影響を及ぼしたり、場合によってはＣＯＦに不良が発生したりすることがあるという問題があった。
【０００５】
このような問題は、ＣＯＦの一般的な使用態様を示唆しているに過ぎない上掲の各特許文献に記載されている技術によっては到底解決することができない。
【０００６】
本発明は以上の問題や状況に鑑みてなされたものであり、表示パネルの背面側に配置された導光板の端面に、上記表示パネルから引き出されたフレキシブル基板の端部に接続されている配線基板が固定されているという基本構成にそれほど大きな変更を加えることなく、配線基板がその固定箇所で位置ずれしているときでも、ＣＯＦなどのフレキシブル基板にかかる負担を、問題を生じない程度にまで軽減することを容易に可能にした表示モジュールを提供することを目的とする。
【課題を解決するための手段】
【０００７】
本発明に係る表示モジュールは、表示パネルの背面側に配置された導光板の端面に、上記表示パネルから引き出されたフレキシブル基板の端部に接続されている配線基板が固定されている表示モジュールにおいて、上記フレキシブル基板に、上記配線基板の位置ずれを吸収するための弛み箇所を具備させてあるというものである。この発明では、上記表示パネルが液晶パネルであり、上記フレキシブル基板がチップオンフィルムであり、上記配線基板が導光板の端面にビス止めされている、という構成を備えていてもよい。
【０００８】
この発明によれば、配線基板がその固定箇所で左右方向及び前後方向などの方向に位置ずれしていても、フレキシブル配線基板の弛み箇所が無理なく変形してフレキシブル基板にかかる負担が軽減ないし解消され、配線基板とフレキシブル基板との固定箇所に不具合が生じるといった自体が起こらなくなる。したがって、フレキシブル基板に肉薄のＣＯＦが用いられている場合であっても、そのＣＯＦに加わる負担で配線基板へのＣＯＦへの接続箇所が剥がれるなどといったおそれがなくなり、ＣＯＦに加わる負担に起因して表示モジュールの性能が低下したり、ＣＯＦ自体に不良が発生したりするという自体が起こらなくなる。
【０００９】
本発明に係る表示モジュールでは、表示パネルの背面側に配置された導光板の端面に、上記表示パネルから引き出されたフレキシブル基板の端部に接続されている配線基板が固定されている表示モジュールにおいて、上記表示パネルが液晶パネルであり、この液晶パネルの辺部の複数箇所から引き出されたチップオンフィルムでなる上記フレキシブル基板に、そのフレキシブル基板の長さを増やすことによって、上記導光板の端面にビス止めされた１枚の上記配線基板の位置ずれを吸収するための弛み箇所を具備させてある、という構成を採用することも可能である。これによると、ＣＯＦに弛み箇所を具備させる手法としてそのＣＯＦの長さを増やすという方法を採用しているので、余分な部品を用いることなく、また、ＣＯＦの長さを増やすというきわめて単純な方法を採るだけで、ＣＯＦに加わる負担で表示モジュールの性能が低下したり、ＣＯＦ自体に不良が発生したりするという自体が起こらなくなる。
【発明の効果】
【００１０】
本発明によれば、配線基板がその固定箇所でどの方向に位置ずれしていても、フレキシブル配線基板の弛み箇所が無理なく変形してフレキシブル基板にかかる負担が軽減ないし解消される。したがって、フレキシブル基板に肉薄のＣＯＦが用いられている場合であっても、そのＣＯＦに加わる負担で表示モジュールの性能が低下したり、ＣＯＦ自体に不良が発生したりするという自体が起こらなくなる。したがって、耐用性や性能に優れた表示モジュールを安価に提供することが可能になる。
【発明を実施するための最良の形態】
【００１１】
図１は本発明に係る表示モジュールの要部の概略側面図、図２は同概略背面図である。
【００１２】
図１及び図２において、１は液晶パネルでなる表示パネル、２は表示パネル１の背面側に配置された導光板であり、その導光板２の上端面は後下がりの傾斜面２１として形成されている。表示パネル１や導光板２の周囲には縁枠３が配備されていて、その縁枠３に取り付けられたフレーム４が導光板２の上記傾斜面２１に重なり合っている。そして、表示パネル１の上辺の複数箇所から引き出されたフレキシブル基板としての複数本のＣＯＦ５の端部に、横長の１枚の配線基板６がその複数箇所で接続されていて、それらのＣＯＦ５を折り曲げることによって配線基板６が上記フレーム４に重ね合わされ、かつ、その配線基板６の複数箇所がフレーム４にビス止めされている。図２にはそのビス止め箇所を符号７で示してある。上記配線基板６は、テレビジョン用信号を液晶パネルに表示するための信号の変換に用いられている。
【００１３】
また、導光板２の背面にはＬＳＩなどの集積回路チップＴを搭載した別の配線基板８がビス止めされていて、その配線基板８が、フレキシブル配線基板９によって上記配線基板６に接続されている。この配線基板８は、テレヒジョン用信号を処理するために用いられている。
【００１４】
ここで、表示パネル１から引き出されているＣＯＦ５の長さは、配線基板６をフレーム４にビス止めし得る長さを充足しておりさえすれば、必要最少限度の条件を満たし得るのであるけれども、この実施形態では、ＣＯＦ５の長さを、必要最少限度の条件を満たし得る長さよりも増やすことによって、そのＣＯＦ５に弛み箇所５１を具備させてある。このため、配線基板６がその固定箇所で左右方向や前後方向、その他のどの方向に位置ずれしていても、ＣＯＦ５の弛み箇所５が無理なく変形してＣＯＦ５にかかる負担が軽減ないし解消される。したがって、ＣＯＦ５が肉薄であるとしても、そのＣＯＦ５に加わる負担で配線基板６との接続箇所（圧着箇所）が剥がれたりすることがなくなり、当該表示モジュールの性能が低下したりＣＯＦ５自体に不良が発生したりするという自体が起こらなくなり、耐用性や性能に優れた表示モジュールを安価に提供することが可能になる。ＣＯＦ５の弛み箇所５１の弛み量はきわめてわずかな量でよく、弛み箇所の巧み量を必要以上に多くすることは、価格やＣＯＦ５の引廻しに要する占有スペースとの関係で好ましくない。
【００１５】
なお、この実施形態において、ＣＯＦ５は、表示パネル１の信号線駆動回路用又は走査線駆動回路用のフレキシブル基板として用いられている。
【図面の簡単な説明】
【００１６】
【図１】本発明に係る表示モジュールの要部の概略側面図である。
【図２】同概略背面図である。
【符号の説明】
【００１７】
１  表示パネル（液晶パネル）
２  導光板
５  ＣＯＦ（フレキシブル基板）
６  配線基板
５１  弛み箇所
【図１】
2006011089.tif 000003
【図２】
2006011089.tif 000004